(57)【要約】【課題】複数の容器に充填された内容液を、ポンプ装置を用いて、軽く簡便な操作で同時に吐出させられるようにし、かつ、容器本体の高さが、ポンプ装置を取り付けることによる制約を受けないようにする。【解決手段】吐出装置１００Ａが、内容液を収容する複数の容器１Ａ、１Ｂ、複数の容器１Ａ、１Ｂと連通したポンプ装置１０Ａ、及びポンプ装置１０Ａのピストン１６Ａ、１６Ｂを動作させるレバー２４を備える。ポンプ装置１０Ａ内のピストン１６Ａ、１６Ｂの動作方向と容器１Ａ、１Ｂからの液の供給方向が交わり、一度のレバー操作で各容器１Ａ、１Ｂに収容された内容液が同時に吐出する。【選択図】図１Ａ
2005126146.tif 000002
【特許請求の範囲】
【請求項１】
内容液を収容する複数の容器、
複数の容器と連通したポンプ装置、及び
ポンプ装置のピストンを動作させるレバーを備え、
ポンプ装置内のピストンの動作方向と容器からの液の供給方向が交わり、一度のレバー操作で各容器に収容された内容液が同時に吐出する吐出装置であって、
ポンプ装置が、１つのシリンダー内に第１計量室と第２計量室を有し、第１計量室が第１容器に連通し、第２計量室が第２容器に連通し、
吐出ノズルがピストンの動作方向に突出し、
レバー操作により第１計量室と第２計量室とが吐出ノズルに通液可能となるように構成された吐出装置。
【請求項２】
上記第１計量室と第２計量室とがピストンで画されている請求項１記載の吐出装置。
【請求項３】
ポンプ装置の本体ハウジングに、容器の長手方向に伸びた把持部が設けられている請求項１又は２記載の吐出容器。
【請求項４】
容器を囲むケースが設けられている請求項１又は２記載の吐出容器。
【請求項５】
容器の口部に逆止弁を設け、ポンプ装置と容器を取り外し可能とした請求項１〜４のいずれかに記載の吐出装置。
【請求項６】
容器の内容積が、内容液の吐出に応じて低減する請求項１〜５のいずれかに記載の吐出装置。
【請求項７】
少なくとも一つの容器が、酸素ガスバリア層を有する請求項１〜６のいずれかに記載の吐出装置。
【請求項８】
請求項１〜７のいずれかの吐出装置の第１容器と第２容器にそれぞれ毛髪化粧料の第１剤と第２剤が充填されている毛髪化粧料吐出用具。
【発明の詳細な説明】
【技術分野】
【０００１】
本発明は、複数の内容液をポンプ装置により同時に吐出させる吐出装置に関する。
【背景技術】
【０００２】
従来、二剤形式の毛髪化粧料として、例えば、酸化染料を含有する第１剤と、過酸化水素等の酸化剤を含有する第２剤とからなる二剤形式の染毛剤が知られている。また、ヘアブリーチとして、アルカリ剤を含有する第１剤と、過酸化水素を含有する第２剤とからなる二剤形式のものが知られている。
【０００３】
このような毛髪化粧料は、保存安定性の点から、第１剤と第２剤とがそれぞれ別個の容器に収容され、使用時に第１剤と第２剤とが混合される。この第１剤と第２剤を同時に吐出させる装置として、例えば、特許文献１には、２つのエアゾール容器に、これらのステムを同時に押し下げることのできる操作部材を取り付けたものが記載されている。
【０００４】
また、特許文献２には、２つのポンプ容器に、これらの排出ステムを一つの吐出孔に連結するアダプターを設け、アダプター上に装着した噴出ボタンを押し下げることにより、２つのポンプを同時に作用させ、一つの吐出孔から二液を同時に吐出させるものが記載されている。さらに、二液を同時に吐出させるポンプ容器としては、トリガー式ポンプを備えたものも知られている（特許文献３）。
【０００５】
【特許文献１】特開２０００−２９７０１８号公報
【特許文献２】実開平５−２９９８２号公報
【特許文献３】特開平８−２２９４６５号公報
【発明の開示】
【発明が解決しようとする課題】
【０００６】
しかしながら、エアゾール容器は製造コストが高い。廃棄時には、ガス抜きをした後に缶ゴミとして捨てることが必要となるので煩雑である。また、ステムを押し下げている間に内容液が吐出され続けるので、定量吐出させることができない。
【０００７】
一方、ポンプ容器では、２つのポンプ装置のステムを同時に一つの噴出ボタンで押し下げるために、相応の力が必要となる。特に、通常、染毛剤等の毛髪化粧料の吐出操作は片手で行われるから、片手で二液分のポンプ容器を把持し、その状態で噴出ボタンを指一本で押圧し、２つ分のポンプ装置のステムを同時に押し下げることは、軽い操作ではできない。
【０００８】
また、特許文献２に記載のポンプ容器を始めとして、一般に、ポンプ容器では、ポンプ装置内のピストンの動作方向が容器本体の長手方向になっており、また、ポンプ装置自体の高さは、１回のポンプ操作で吐出させる所定の液量によって決まる。このため、その製品の陳列棚の棚板間の距離の制約からポンプ容器全体を所定の高さ以下に抑えなくてはならない場合、ポンプ装置の高さではなく、容器本体の高さを抑えなくてはならず、それ故、容器本体に十分な液量を充填することができない事態が生じ得る。
【０００９】
このようなポンプ装置の高さの問題に対しては、特許文献３に記載されているようにトリガー式ポンプで二剤を吐出させることが考えられるが、この場合には、一旦トリガー式ポンプで二剤を吐出させた後には、トリガー式ポンプのシリンダー内に二剤の混合液が滞留することとなるため、次にこの容器を使用するまでの間に、シリンダー内で二剤の反応が進んでしまうという問題が生じる。
【００１０】
これに対し、本発明は、複数の容器に充填された内容液を、ポンプ装置を用いて、軽く簡便な操作で同時に吐出させられるようにし、かつ、容器本体の高さが、ポンプ装置を取り付けることによる制約を受けないようにし、さらにシリンダー内では二剤の混合を防止することを目的とする。
【課題を解決するための手段】
【００１１】
本発明は、複数の容器からポンプ装置を用いて各容器の内容液を同時に吐出させるにあたり、ポンプ装置のピストンの動作方向が容器からの液供給方向と交わるようにすると、ポンプ装置自体の高さを顕著に低減させることができ、ポンプ装置を容器に取り付けるがために容器自体の高さを抑えなくてはならないという事態を解消できること、また、ポンプ装置を動作させるためにレバーを使用すると、複数の容器からなる吐出装置を片手で把持し、各容器から内容液を同時に、軽いレバー操作で簡便に吐出させられることを見出した。
【００１２】
即ち、本発明は、内容液を収容する複数の容器、
複数の容器と連通したポンプ装置、及び
ポンプ装置のピストンを動作させるレバーを備え、
ポンプ装置内のピストンの動作方向と容器からの液の供給方向が交わり、一度のレバー操作で各容器に収容された内容液が同時に吐出する吐出装置であって、
ポンプ装置が、１つのシリンダー内に、第１計量室と第２計量室を有し、第１計量室が第１容器に連通し、第２計量室が第２容器に連通し、
吐出ノズルがピストンの動作方向に突出し、
レバー操作により第１計量室と第２計量室とが吐出ノズルに通液可能となるように構成された吐出装置を提供する。
【００１３】
また、本発明の吐出装置の第１容器と第２容器にそれぞれ毛髪化粧料の第１剤と第２剤が充填されている毛髪化粧料吐出用具を提供する。
【発明の効果】
【００１４】
本発明の吐出装置によれば、複数の容器に収容された各溶液を、ポンプ装置を用いて同時に所定計量して吐出させることができる。ここで、ポンプ装置はピストンの動作方向が容器からの液供給方向と交わるように構成されるので、例えば、ピストンの動作方向を容器の長手方向に対して垂直にすることができ、ピストンの動作方向が容器の長手方向になっている一般的なポンプ装置を容器に取り付けた場合に比して、ポンプ装置自体の高さを低くでき、したがって、吐出装置全体としての高さも低くすることができる。よって、この吐出装置からなる製品を店頭等の陳列棚におく場合に、容器がポンプ装置を備えているがために容器自体の高さが制約を受けるという事態を解消することができる。
【００１５】
また、この吐出装置には、ピストンを動作させるレバーが設けられているので、各容器から内容液を吐出させる際に、吐出装置を片手で把持し、指をレバーに掛け、１度のレバー操作で各容器から内容液を同時に吐出させることができる。通常、エアゾール容器あるいはポンプ容器に操作部材として設けられている押しボタンは、指一本で押圧操作をするように形成されているため、複数本の指で操作することは実際上難しく、そのため、二液分の吐出操作を行う場合には、その操作が重く感じられるが、本発明によればレバーが設けられているので、容易に複数本の指をレバーに掛けることができ、軽い力で吐出操作をすることができる。
【００１６】
さらに、本発明の吐出装置によれば、１つのシリンダー内に、第１計量室と第２計量室を有し、第１計量室が第１容器に第２計量室が第２容器に各々連通し、かつ第１計量室と第2計量室とは、レバーを操作することにより吐出ノズルと通液可能となり、操作しないときは遮断状態となるように構成されているので、シリンダー内での二剤の混合を防止することができる。
【発明を実施するための最良の形態】
【００１７】
以下、図面を参照しつつ本発明を詳細に説明する。なお、各図中、同一符号は同一又は同等の構成要素を表している。
【００１８】
図１Ａは、本発明の一態様の吐出装置１００Ａの初期状態の断面図、図１Ｂはそのポンプ装置１０Ａを吐出孔側からみた正面図であり、図２Ａ〜図２Ｄは、この吐出装置１００Ａの作用を表す断面図である。
【００１９】
この吐出装置１００Ａは、第１内容液Ａを収容する第１容器１Ａと、第２内容液Ｂを収容する第２容器１Ｂ、及びこれらの容器１Ａ、１Ｂに冠着するポンプ装置１０Ａからなっている。各容器１Ａ、１Ｂの口部２Ａ、２Ｂは、それぞれポンプ装置１０Ａの容器装着部１１Ａ、１１Ｂに着脱自在に螺着している。
【００２０】
ポンプ装置１０Ａは、本体ハウジング１２内に、容器１Ａ、１Ｂの長手方向に対して垂直方向に伸びた１つのシリンダー１３を有している。シリンダー１３は有底筒状で、その内径は、基部１３ａ側の小径部と先端部側の大径部との２段階に変化している。
【００２１】
シリンダー１３内には第１ピストン１６Ａ、第２ピストン１６Ｂを有するピストン１６が挿入されている。シリンダー１３の大径部において第１ピストンガイド１４Ａの外周部に第１ピストン１６Ａが水密かつ摺動可能に嵌められ、シリンダー１３の小径部において第２ピストンガイド１４Ｂの外周部に第２ピストン１６Ｂが水密かつ摺動可能に嵌められている。そして、第１ピストンガイド１４Ａの基部に第２ピストンガイド１４Ｂが水密かつ摺動可能に挿入されている。したがって、シリンダー１３内は、ピストン１６で第１計量室１７Ａと第２計量室１７Ｂが画されており、より具体的には第１計量室１７Ａと第２計量室１７Ｂの間が第２ピストン１６Ｂで画されていることになる。
【００２２】
ここで、シリンダー１３、第１ピストンガイド１４Ａ及び第２ピストンガイド１４Ｂは高密度ポリエチレン、ポリプロピレン等の合成樹脂から形成され、第１ピストン１６Ａと第２ピストン１６Ｂは低密度ポリエチレン等から形成される。
【００２３】
第１ピストンガイド１４Ａと第２ピストンガイド１４Ｂには、それぞれ側面に、ピストン１６Ａ、１６Ｂによって開閉される孔部１５Ａ、１５Ｂが形成されている。
【００２４】
第１ピストン１６Ａと第２ピストン１６Ｂの間に形成された第１計量室１７Ａは、逆止弁（吸引弁）１８Ａを介して第１容器１Ａの口部２Ａと連通している。また、第２ピストン１６Ｂとシリンダーの基部１３ａとの間に形成された第２計量室１７Ｂは、逆止弁１８Ｂを介して第２容器１Ｂの口部２Ｂと連通している。ここで、逆止弁１８Ａ、１８Ｂとしては、樹脂バネ弁、１点弁、３点弁、ボール弁等を使用することができる。また、吐出装置１００Ａの使用途中で各容器１Ａ、１Ｂを容器装着部１１Ａ、１１Ｂから外したときに、逆止弁１８Ａ、１８Ｂが容器１Ａ、１Ｂに装着されたままの状態となるように、逆止弁１８Ａ、１８Ｂは容器１Ａ、１Ｂの口部に設けることが好ましい。これにより、容器１Ａ、１Ｂを容器装着部１１Ａ、１１Ｂから外したときに、容器１Ａ、１Ｂ内に空気が混入することを防止できる。したがって、容器内に空気が混入することによる内容液の酸化劣化を防止でき、また、再度その容器１Ａ、１Ｂを容器装着部１１Ａ、１１Ｂに取り付けて使用した場合に、吐出装置１００Ａから、内容液と空気が混ざって吐出され、内容液の吐出量が不安定となる、所謂エア噛みを防止することができる。
【００２５】
第２ピストンガイド１４Ｂとシリンダーの基部１３ａとの間には、スプリング等のバネ材１９が装着されている。
【００２６】
第１ピストンガイド１４Ａの、第２ピストンガイド１４Ｂと反対側の端部には、ステム２０が嵌着され、さらにその先にレバー付きノズル２１が嵌着され、このステム２０とレバー付きノズル２１により吐出ノズル２２が形成されている。したがって、吐出ノズル２２は、第１ピストン１６Ａ、第２ピストン１６Ｂの動作方向に形成されている。また、レバー付きノズル２１の先端開口部が、この吐出装置１００Ａの吐出孔２３となっている。
【００２７】
レバー付きノズル２１の外周部には、図１Ａのように吐出孔２３の上下にフランジ状に突出したレバー２４が形成されている。このレバー２４は、吐出容器１００Ａのポンプ装置１０Ａを本体ハウジングの基部１２ａ側から把持した場合に、容易に複数本の指を掛けられる大きさとなっている。なお、図示した態様では、レバー２４は吐出ノズル２２の先端部材と一体に形成されているが、吐出ノズル２２の外周部に設ける限り、ステム２０と一体に形成してもよく、ステム２０や先端部材と別個の部材として設けてもよい。
【００２８】
一方、容器１Ａ、１Ｂに充填する第１内容液、第２内容液としては、二剤を混合することで反応を開始する種々の剤、例えば、二剤形式の種々の染毛剤、ブリーチ剤、ホットシェービング剤、接着剤等をあげることができる。ただし、スプリング等のバネ材１９の素材には通常ステンレス鋼線が用いられ、このステンレス鋼は、二剤式染毛剤の第２剤に含まれる過酸化水素等の酸化剤やハロゲンイオンを含む界面活性剤で腐食するので、これらを含む剤は、バネ材１９が内蔵されていない計量室に吸引されるようにすることが好ましく、したがって、この吐出装置１００Ａでは、第２剤が第１計量室１７Ａに吸引されるように、第１容器に第２剤を充填することが好ましい。これにより、金属腐食による内容液の変質を効果的に防止することができる。
【００２９】
容器１Ａ、１Ｂとしては、変形可能で、内容液の吐出に応じて内容積が低減するものが好ましい。このような容器としては、例えば、ポリエチレン、ポリプロピレン等の軟質可撓性材料からなるチューブ容器やパウチ容器（袋）、内容液の吐出に応じて容器底部からポンプ装置側へ次第に上昇する可動中皿を備えた容器、容器が内層と外層の積層構造からなり、内層容器内が内容液の吐出に応じて減圧あるいは減容すると内層が剥離して内層容器が体積収縮するデラミボトル等がある。
【００３０】
また、容器１Ａ、１Ｂの形成素材としては、収容する内容液の種類に応じて、酸素バリア性を備えたものが好ましい。例えば、この吐出装置１００Ａを、酸化染料を含む第１剤と過酸化水素を含む第２剤からなる二剤形式の染毛剤の吐出用具として用いる場合、第１剤を収容する第２容器１Ｂは、外層を低密度乃至高密度ポリエチレンやポリプロピレン等のポリオレフィン系樹脂から形成し、中間層をエチレン・ビニルアルコール共重合体フィルム、メタキシレンジアミンを用いたポリアミドフィルム等の酸素ガスバリア層、好ましくは水分バリア性、酸化染料のバリア性に優れた環状ポリオレフィン層から形成し、内層をポリオレフィン層とした積層構造の容器（特開２００２−３４５５４８号）とすることが好ましい。また、第２剤を収容する第１容器１Ａは、外層を低密度ポリエチレンから形成し、内層を直鎖低密度ポリエチレンから形成した、酸素ガスを透過する容器（特開２００２−８７４１８号公報）とすることが好ましい。
【００３１】
この吐出装置１００Ａの使用方法としては、まず、片手でポンプ装置１０Ａを本体ハウジングの基部１２ａ側から把持し、レバー２４に複数本の指をかけ、図２Ａに矢印で示したようにレバー２４を引き寄せる。これにより、第１ピストンガイド１４Ａ及び第２ピストンガイド１４Ｂがシリンダーの基部１３ａ側に移動し、バネ材１９が縮められる。また、第１ピストンガイド１４Ａ、第２ピストンガイド１４Ｂとシリンダー１３との間に挟持されている第１ピストン１６Ａ、第２ピストン１６Ｂもシリンダーの基部１３ａ側に移動し、第１計量室１７Ａと第２計量室１７Ｂが図１Ａの初期状態よりも狭められる。また、第１ピストンガイドの孔部１５Ａと第２ピストンガイドの孔部１５Ｂが開口する。したがって、第１ピストンガイドの孔部１５Ａを通して第１計量室１７Ａの空気が吐出ノズル２２内に吐出され、第２ピストンガイドの孔部１５Ｂを通して第２計量室１７Ｂの空気も吐出ノズル２２内に吐出される。こうして、図２Ｂに示すように、バネ材１９が押し縮められる限界まで第１計量室１７Ａと第２計量室１７Ｂが狭められる。
【００３２】
次に、レバー２４の引き寄せを解除する。すると、図２Ｃに示すように、縮められていたバネ材１９の反発力により第２ピストンガイド１４Ｂが押し戻され、第２ピストンガイドの孔部１５Ｂが第２ピストン１６Ｂで閉じられる。また、第１ピストンガイド１４Ａも押し戻され、第１ピストンガイドの孔部１５Ａが第１ピストン１６Ａで閉じられる。バネ材１９の反発力により、さらに第２ピストンガイド１４Ｂが押し戻されると、第２計量室１７Ｂはその容積が拡大し、減圧になる。このため逆止弁１８Ｂが開口して、第２容器１Ｂから第２計量室１７Ｂに第２内容液Ｂが吸引される。
【００３３】
また、第２ピストンガイド１４Ｂが押し戻されるのに伴い、第１ピストンガイド１４Ａと第１ピストン１６Ａが押し戻されると、第１計量室１７Ａはピストン１３の大径部の領域が広がるのでその容積が拡大し、減圧になる。よって、第１容器１Ａから第１計量室１７Ａに第１内容液Ａが吸引される。
【００３４】
次に、図２Ｄに示すように、レバー２４を再度引き寄せる。これにより、前述したレバーの引き寄せ時（図２Ａ）と同様に、第１計量室１７Ａと第２計量室１７Ｂが狭められ、また、第１ピストンガイドの孔部１５Ａと第２ピストンの孔部１５Ｂが開口する。したがって、レバー２４を操作することで第１ピストンガイドの孔部１５Ａを通して第１計量室１７Ａが吐出ノズル２２と通液可能となり、第１内容液Ａが吐出ノズル２２に吐出され、また、第２ピストンの孔部１５Ｂを通して第２計量室１７Ｂが吐出ノズル２２と通液可能となり、第２内容液Ｂも吐出ノズル２２に吐出される。よって、第１内容液Ａと第２内容液Ｂが同時に吐出孔２３から吐出される。
【００３５】
以降、レバー２４の引き寄せと解除を繰り返すことにより、同様にして第１内容液Ａと第２内容液Ｂを同時に吐出孔２３から吐出させることができる。
【００３６】
ここで、１度のレバー２４の操作による第１内容液Ａ、第２内容液Ｂの吐出量は、それぞれ次式により定まる。
【００３７】
第１内容液Ａの吐出量＝第１ピストン１６Ａの有効面積×第１ピストン１６Ａの移動量−第２ピストン１６Ｂの有効面積×第２ピストン１６Ｂの移動量
第２内容液Ｂの吐出量＝第２ピストン１６Ｂの有効面積×第２ピストン１６Ｂの移動量
【００３８】
なお、この式において、第１ピストン１６Ａの有効面積とは、シリンダー１３の大径部の内側の断面積から第１ピストンガイド１４Ａの外形を引いたドーナツ状の面積であり、第２ピストン１６Ｂの有効面積とは、シリンダー１３の小径部の内側の断面積から第２ピストンガイド１４Ｂの外形を引いたドーナツ状の面積である。また、第１ピストン１６Ａの移動量と第２ピストン１６Ｂの移動量は等しい。
【００３９】
したがって、この吐出装置１００Ａによれば、第１ピストン１６Ａの有効面積と第２ピストン１６Ｂの有効面積の調整により、所望の量比で第１内容液Ａと第２内容液Ｂを吐出させることができる。例えば、第１内容液Ａと第２内容液Ｂを同時に等量吐出させる場合には、第１ピストン１６Ａの有効面積を第２ピストン１６Ｂの有効面積の２倍にすればよい。
【００４０】
また、この吐出装置１００Ａによれば、各容器１Ａ、１Ｂと計量室１７Ａ、１７Ｂとの距離が短いので、吐出装置１００Ａの使用開始時に剤を吐出するまでの初動プライミングが少なく、使用後に、各容器１Ａ、１Ｂと計量室１７Ａ、１７Ｂとの間に残留する液量を少なくすることができる。
【００４１】
さらに、この吐出装置１００Ａによれば、第１内容液Ａと第２内容液Ｂをポンプ装置で吸引し、吐出させるにあたり、ポンプ装置１０Ａでは１つのシリンダー１３が使用されるのみである。したがって、各内容液ごとに、シリンダーを用いる場合に比して、部品点数が少なく、製造コストを下げることができる。
【００４２】
図３の吐出装置１００Ｂは、図１Ａの吐出装置１００Ａの他の変形態様の斜視図である。この吐出装置１００Ｂでは、対向する一対の把持部３０がポンプ装置１０Ａの本体ハウジング１２に設けられており、把持部３０は、ポンプ装置１０Ａに取り付けた容器１Ａ、１Ｂの側面を両側から挟む板状部材からなっている。
このように把持部３０を設けることにより、把持部３０に沿ってポンプ装置１０Ａに容器１Ａ、１Ｂを取り付けることができるので、容器１Ａ、１Ｂの取り付けが容易となり、また、吐出装置１００Ａの使用時に容器１Ａ、１Ｂに不要な力が加わった際に、容器１Ａ、１Ｂがポンプ装置１０Ａから外れることを防止できる。
【００４３】
把持部３０は、図４Ａに示す吐出装置１００Ｃのように、容器１Ａ、１Ｂの末端まで伸ばしてもよい。この場合には、把持部３０の変形を防止するため、図４Ｂの底面図に示すように、対向する一対の把持部３０の間に支持板３１を設けることが好ましい。
【００４４】
図５に示す吐出装置１００Ｄのように、把持部３０に代えて、容器１Ａ、１Ｂを囲むケース３２を設けてもよい。
【００４５】
さらに、上述のいずれの吐出装置にも、その用途に応じて、吐出ノズル２２の先端部に櫛やブラシ等の塗布具を設けてもよい。
【００４６】
例えば、図６に示すように、吐出ノズル２２に、先端開口部に複数のスリット４１が開口している先端部材４０あるいは先端開口部がメッシュ状になっている先端部材（図示せず）を被せてもよい。これにより、吐出ノズル２２から直接毛髪に毛髪化粧料を塗布する際に、ノズルの頭皮への接触面積が広くなり、頭皮への刺激を和らげることができる。また、スリット４１あるいはメッシュを通すことにより、吐出ノズル２２内の第１剤と第２剤の流れに乱れを生じさせ、ノズルから吐出した後の両剤を混ざりやすくすることができる。
【００４７】
図７に示すように、吐出ノズル２２には、吐出孔２３の周囲に刷毛部４２を設けた筒型塗布具４３を取り付けてもよい。これにより、この吐出装置１００Ａを用いて直接部分染め等を行うことが容易となる。
【００４８】
図８Ａ、図８Ｂに示すように、矩形の基台４４に複数のブラシ歯４５を立設させ、中央部に吐出孔２３を開口したブラシ４６を、吐出ノズル２２に取り付けてもよい。これにより、この吐出装置を用いて毛髪全体を染毛することが容易となる。
【００４９】
この他、図９Ａ、図９Ｂに示すように、２つの容器１Ａ、１Ｂの配列方向に伸びたスリット状の吐出孔２３の周囲に、容器１Ａ、１Ｂの起立方向に起立した刷毛４７が植毛されている刷毛状塗布具４８を吐出ノズル２２に取り付けてもよく、図１０Ａ、図１０Ｂに示すように、内部に流路４９が形成され、両面に吐出孔２３が開口した板状櫛歯５０が、容器１Ａ、１Ｂの起立方向に起立し、櫛歯の厚み方向に列設しているバリカン型塗布具５１を吐出ノズル２２に取り付けてもよく、図１１Ａ、図１１Ｂに示すように、内部に流路４９が形成され、両面に吐出孔２３が開口した板状櫛歯５０が、容器１Ａ、１Ｂの起立方向とほぼ垂直に起立し、櫛歯の厚み方向に列設している染毛用塗布具５２等を吐出ノズル２２に取り付けてもよい。これらにより、別途染毛ブラシあるいは染毛用櫛を用意することなく、毛髪全体の染毛を容易に行うことができる。
【００５０】
また、図示した吐出装置は、ピストンの動作方向と容器の長手方向が垂直になっているが、本発明において、これらの間の角度は垂直に限られるものではない。
【００５１】
本発明の毛髪化粧料吐出用具は、本発明の吐出装置の第１容器と第２容器にそれぞれ毛髪化粧料の第１剤と第２剤を充填したものである。したがって、本発明の毛髪化粧料吐出用具によれば、毛髪化粧料の第１剤と第２剤を別個に保管し、吐出時には、１度の軽いレバー操作で、毛髪化粧料の第１剤と第２剤を同時に吐出させることができる。
【００５２】
毛髪化粧料としては、酸化染料又は直接染料とアルカリ剤とを含有する第１剤と、過酸化水素等の酸化剤を含有する第２剤とからなる二剤式染毛剤や、アルカリ剤を含有する第１剤と、過酸化水素等の酸化剤を含有する第２剤とからなる二剤式脱色剤をあげることができる。中でも、第１剤のアルカリ剤として、アンモニアとアンモニウム塩を併用することにより、容器からのアンモニアの揮散を抑制したものが好ましい。このような二剤式毛髪化粧料の好ましい態様としては、第１剤として、水性媒体中にアンモニアを０．０１〜３重量％及びアンモニウム塩を０．０１〜１０重量％含有するものを使用し、第２剤として、水性媒体中に過酸化水素を含有するものをあげることができる。ここで、アンモニウム塩としては、リン酸アンモニウム、塩化アンモニウム、硝酸アンモニウム、硫酸アンモニウム等をあげることができる。
【００５３】
また、第１剤には、カチオン性界面活性剤を含有させることが好ましく、第１剤と第２剤に非イオン性界面活性剤、高級アルコール、シリコーン類を含有させることが好ましい。これにより、毛髪の染色、脱色効果及びコンディショニング効果を高め、液だれを防止する等の染毛時の操作性をよくすることができる。
【産業上の利用可能性】
【００５４】
本発明の吐出装置は、二剤形式の染毛剤、ブリーチ剤等の毛髪化粧料や、二剤形式の接着剤等、複数の剤を混合することで反応を開始する多剤形式の剤の各構成剤を一定量ずつ計量しながら吐出させるのに好適である。
【図面の簡単な説明】
【００５５】
【図１Ａ】吐出装置１００Ａの初期状態を表す断面図である。
【図１Ｂ】吐出装置１００Ａのポンプ装置を吐出孔側から見た正面図である。
【図２Ａ】吐出装置１００Ａの作用を表す断面図である。
【図２Ｂ】吐出装置１００Ａの作用を表す断面図である。
【図２Ｃ】吐出装置１００Ａの作用を表す断面図である。
【図２Ｄ】吐出装置１００Ａの作用を表す断面図である。
【図３】把持部を設けた吐出装置１００Ｂの斜視図である。
【図４Ａ】把持部を設けた吐出装置１００Ｃの斜視図である。
【図４Ｂ】把持部を設けた吐出装置１００Ｃの底面図である。
【図５】ケースを設けた吐出装置１００Ｄの斜視図である。
【図６】先端部材を付けた吐出ノズルの斜視図である。
【図７】筒型塗布具を付けた吐出ノズルの斜視図である。
【図８Ａ】ブラシを取り付けた吐出ノズルの側面図である。
【図８Ｂ】ブラシを取り付けた吐出ノズルの正面図である。
【図９Ａ】刷毛状塗布具を取り付けた吐出ノズルの斜視図である。
【図９Ｂ】刷毛状塗布具を取り付けた吐出ノズルの側面図である。
【図１０Ａ】バリカン型塗布具を取り付けた吐出ノズルの正面図である。
【図１０Ｂ】バリカン型塗布具を取り付けた吐出ノズルの断面図である。
【図１１Ａ】染毛用塗布具を取り付けた吐出ノズルの部分断面図である。
【図１１Ｂ】染毛用塗布具を取り付けた吐出ノズルの正面図である。
【符号の説明】
【００５６】
１Ａ  第１容器
１Ｂ  第２容器
１０Ａ  ポンプ装置
１２    本体ハウジング
１３    シリンダー
１４Ａ  第１ピストンガイド
１４Ｂ  第２ピストンガイド
１５Ａ  第１ピストンガイドの孔部
１５Ｂ  第２ピストンガイドの孔部
１６    ピストン
１６Ａ  第１ピストン
１６Ｂ  第２ピストン
１７    計量室
１７Ａ  第１計量室
１７Ｂ  第２計量室
１８Ａ、１８Ｂ    逆止弁（吸引弁）
１９    バネ材
２０    ステム
２１    レバー付きノズル
２２    吐出ノズル
２３    吐出孔
２４    フランジ状レバー
３０    把持部
３２    ケース
１００Ａ、１００Ｂ、１００Ｃ、１００Ｄ  吐出装置
Ａ  第１内容液
Ｂ  第２内容液
【図１Ａ】
2005126146.tif 000003
【図１Ｂ】
2005126146.tif 000004
【図２Ａ】
2005126146.tif 000005
【図２Ｂ】
2005126146.tif 000006
【図２Ｃ】
2005126146.tif 000007
【図２Ｄ】
2005126146.tif 000008
【図３】
2005126146.tif 000009
【図４Ａ】
2005126146.tif 000010
【図４Ｂ】
2005126146.tif 000011
【図５】
2005126146.tif 000012
【図６】
2005126146.tif 000013
【図７】
2005126146.tif 000014
【図８Ａ】
2005126146.tif 000015
【図８Ｂ】
2005126146.tif 000016
【図９Ａ】
2005126146.tif 000017
【図９Ｂ】
2005126146.tif 000018
【図１０Ａ】
2005126146.tif 000019
【図１０Ｂ】
2005126146.tif 000020
【図１１Ａ】
2005126146.tif 000021
【図１１Ｂ】
2005126146.tif 000022